(57)【特許請求の範囲】
【請求項１】
複数の板材を幅はぎあるいは縦継ぎして屋根全面を覆う広さの一枚板に形成された野地板の上面に防水性能を備えた発泡プラスチック系の断熱材を貼り付けるとともに、目地にシーリング材を充填させて形成され、野地板の厚さを厚くすることにより高剛性としてクレーンによる吊り上げを可能にした下地板ユニットを用意しておき、
棟木および母屋をクレーンを利用して組み上げた後、
前記クレーンを利用して前記下地板ユニットを棟木および母屋の上方に張り、
次いで、前記断熱材の上方に適宜間隔を隔てて第２の野地板を張って屋根通気層を形成し、
この後、ルーフィング材からなる防水シートを施工する屋根下地の施工方法。
【請求項２】
前記母屋に代えて登り梁を用いる請求項１記載の屋根下地の施工方法。
【発明の詳細な説明】
【技術分野】
【０００１】
本発明は屋根下地の施工方法、および屋根下地構造に関するものである。
【背景技術】
【０００２】
木造軸組工法における屋根下地の施工は、一般に柱や梁の上に小屋組、例えば和小屋の場合には小屋束を介するなどして棟木や母屋を組み上げ、さらにその上などに垂木を組み付け、次いで、この垂木の上に野地板を張り、最後に野地板をルーフィング材などの防水シートにより覆うなどしてなされる。また、その断熱は、野地板に沿って断熱材を配置する屋根断熱、あるいは、小屋組の下に野縁を介して張られた天井材の上に断熱材を配置する天井断熱によってなされるのが一般的であるが、近年においては小屋裏現し、すなわち天井材等を設けることなく例えば母屋や垂木、野地板を屋内にそのまま露出させて屋内空間をより広くなどする工法が注目されており、この場合には屋根断熱が採用されて上述の野地板と防水シートの間に断熱材が介装される。なお、上述の母屋や垂木のように屋根荷重を負担する耐力構造部材として、これらに代えて、あるいはこれらと併用して登り梁が用いられることもある。
【０００３】
一方、屋根下地の施工時には、上述のように棟木を組み上げた時点で上棟式をするのが一般的であるが、この際には例えば雨除けのシートを一時的に被せることにより、降雨によって棟木等が濡れてしまうのが防がれる。しかしながら、このように雨除けのシートを被せたり、その後の屋根下地の施工再開に際して剥がしたりするのは、雨除けのシートのサイズが大きい上に、高所作業になることから、多大な手間がかかる。
【０００４】
この点、例えば上棟までの工程として、上述のように棟木や母屋等を組み上げるだけでなく、垂木や野地板、防水シートをも施工してしまえば、雨除けのシートを被せなくとも棟木等が雨に濡れてしまうのを防ぐのが可能である。しかしながら、棟木や母屋等に加え、垂木や野地板、防水シートをも施工するとなると、工数がかかってしまうために、一日で施工を終えるのは極めて困難となる。このため、例えば晴天の日に朝から屋根下地の施工を始めても、施工完了までには日を跨ぐことになってしまい、降雨に備えて雨除けのシートを被せるのが避けられなくなる。
【０００５】
一方、このような屋根下地の施工工数を低減可能なものとして、従来、特許文献１に記載されたものが知られている。この従来例において、屋根下地の施工は、予め工場で組み立てられて現場へと出荷される断熱パネルを利用してなされる。例えば小屋裏吹抜けに使用される断熱パネルは、垂木ところび止めにより構成された矩形近似の枠体の内部に断熱材を配設し、その一面側を構造面材（野地板）により閉塞して形成される。
【０００６】
施工に際しては、上述の構造面材を母屋に向けた姿勢で断熱パネルを順次母屋に載置し、屋根側から構造面材や垂木を貫通して母屋や桁に釘を打ち込むなどすることにより、断熱パネル、すなわち断熱材、構造面材、垂木、およびころび止めの屋根骨格への取り付けが同時に完了する。この後、遮熱シートで断熱材の天面を覆い、最後に、野地合板を貼付するとともにルーフィング施工を行うと、屋根下地の現場施工が完了する。
【先行技術文献】
【特許文献】
【０００７】
【特許文献１】特開２０１１-３２７５５号公報
【発明の開示】
【発明が解決しようとする課題】
【０００８】
しかしながら、上述の従来例においても、断熱パネルはサイズがあまり大きくないために、多数を取り付けなければならず、このため工数がややかかってしまう。また、仮に断熱パネルのサイズを大きくしたとしても、上述のように雨濡れを防ぐためには、断熱パネルの取り付け後に、さらに遮熱シートや野地合板の貼付、ルーフィング施工までをもしなければならないことから、上記従来例は、工数があまり低減できず、上述同様、雨除けのシートを被せるのが避けられなくなりやすいという欠点がある。
【０００９】
さらに、上述した枠体は、その構造上、垂木ところび止めとの接合部、すなわち節点において回転するおそれがある上に、垂木ところび止めの双方に取り付けられる構造面材についても、野地板一般がそうであるように板厚があまり厚くはなく、上述の回転を確実に防げるほどの剛性までは期待できないものと思われる。このため、上述のように断熱パネルのサイズを大きくしてしまうと、断熱パネル単体としての強度の低下が懸念される。
【００１０】
本発明は以上の欠点を解消すべくなされたものであって、工数をより削減することが可能な屋根下地の施工方法、および屋根下地構造の提供を目的とする。
【課題を解決するための手段】
【００１１】
本発明によれば、上記目的は、
複数の板材７を幅はぎあるいは縦継ぎして屋根全面を覆う広さの一枚板に形成された野地板１の上面に防水性能を備えた発泡プラスチック系の断熱材を貼り付けるとともに、目地にシーリング材を充填させて形成され、野地板１の厚さを厚くすることにより高剛性としてクレーンによる吊り上げを可能にした下地板ユニット３を用意しておき、
棟木４および母屋５をクレーンを利用して組み上げた後、
前記クレーンを利用して前記下地板ユニット３を棟木４および母屋５の上方に張り、
次いで、前記断熱材の上方に適宜間隔を隔てて第２の野地板９を張って屋根通気層を形成し、
この後、ルーフィング材からなる防水シート１０を施工する屋根下地の施工方法を提供することにより達成される。
【００１２】
本発明によれば、屋根下地の施工は、棟木４および母屋５を組み上げた後、その上方に下地板ユニット３を張ってなされ、これらのいずれをもクレーン６を利用してなされる。上記下地板ユニット３は、野地板１と防水機能材料２とを含み、野地板１が板厚ｔを厚くして高剛性に形成されることにより強度が高められるとともに、防水機能をも備える。
【００１３】
したがって本発明によれば、下地板ユニット３を棟木４等の上方に張るという作業だけで速やかに棟木４等を雨濡れから防ぐことができる。また、下地板ユニット３を張る際にはクレーン６が利用されることにより、屋根下地ユニットの面積を広くしても、言い換えればその重量が大きくなっても、迅速に作業を進めることができる。さらに、下地板ユニット３は野地板１によって強度を高くされるために、クレーン６で吊り上げる際に吊り治具等を介して局所的に応力が加わってしまったようなときにも、簡単に破損してしまうようなことがない。なお、棟木４等の組み上げの際には、従来より一般にクレーン６が利用されることから、本発明によれば下地板ユニット３にも利用することでクレーン６をより有効活用することもできる。
【００１４】
また、以上によれば、下地板ユニット３として雨除けのシートのように面積を広いものを採用し、これをクレーン６により手軽に吊り下げてあたかも傘のようにして棟木４等に被せることができるために、棟上げから棟木４等の雨濡れ防止処理までにあまり工数がかかることがなく、これらの作業を一日で難なく完了することができる。なお、下地板ユニット３を張る際には、従来において棟木４等に野地板１を張るときに要求されるようなしっかりとした固定強度ですれば、野地板等の施工が完了となるが、棟上げ時の一時的な雨除けであることを考慮すれば仮止め程度にしても足り、これによれば工数をさらに削減できる。この場合には、上棟式を終えた後などに改めて固定強度を補充するための補完的な固定作業をすれば足りる。
【００１５】
また、上述のように野地板１が高剛性であることにより、屋根荷重を野地板１によっても負担することができ、これにより、母屋５や垂木の数量を減らしたり、あるいは構造上より補助的なものに過ぎない垂木について不要にすることも可能になり、工数削減をさらに進められる余地がある。なお、上述のように野地板１の板厚ｔを厚くすることにより、耐火性能を高めることもできる。
【００１６】
さらに、上述のように下地板ユニット３としてサイズの大きいものを使用して施工の手間を省くことができる本発明において、下地板ユニット３の野地板１は、例えば、板材７を幅はぎあるいは縦継ぎして形成することにより、その面積を広くすることができる。
【００１７】
加えて、上記下地板ユニット３は、野地板１の上面を防水機能材料２、例えば防水シートで覆って形成することが可能であるが、このような防水シートに代えて、防水機能に加えて断熱機能をも兼ね備えた押出法ポリスチレンフォームや硬質ウレタンフォームなどの発泡プラスチック系の断熱材を活用することもできる。これによれば、下地板ユニット３によって屋根断熱が実現されることから、野地板１の裏面側を現しにすることも簡単であり、これにより天井材の施工を不要にして、よりさらに工数を少なくすることが可能になる。
【００１８】
また、この場合、その防水性能の程度を考慮すれば、発泡プラスチック系の断熱材は、上棟の際に一時的に遮水処理するためのものとして利用するのが好ましく、屋根の最終的な防水処理には別途ルーフィング材などの防水シートを用いることが好ましい。また、このような遮水機能を備えた発泡プラスチック系の断熱材は、上棟後には、例えば屋根通気の流路底面を遮水するためのものとして活用することが可能であり、この場合には、下地板ユニット３の上方に屋根通気層８を隔てて第２の野地板９、防水シート１０を施工すれば足りる。
【００１９】
なお、以上においては、棟木４とともに下地板ユニット３の取り付け下地となる構造耐力部材として母屋５を用いる場合を示したが、登り梁１１を採用することもできる。
【００２０】
また、上述した目的を達成するために、
棟木４および母屋５と、
前記棟木４および母屋５の上方に張られる下地板ユニット３の適数とを有し、
前記下地板ユニット３は、板材７を幅はぎあるいは縦継ぎし、かつ、板厚ｔを厚くして高剛性に形成された野地板１の上面を防水機能材料２により覆って形成される屋根下地構造を構成することができる。
【発明の効果】
【００２１】
以上の説明から明らかなように、本発明によれば、工数をより削減することが可能で、かつ、強度にも優れた屋根下地の施工方法、および屋根下地構造を提供することができ、住宅建築の生産性を高めることができる。
【図面の簡単な説明】
【００２２】
【図１】屋根下地の施工手順を示す図である。
【図２】下地板ユニットを示す図で、（ａ）は側面図、（ｂ）はその取り付け作業を説明する斜視図である。
【図３】下地板ユニットによる防水機能を説明する側面図である。
【図４】上棟式後に再開される屋根下地施工内容を説明する分解斜視図である。
【図５】屋根の構造を示す要部断面図である。
【図６】変形例を示す図で、（ａ）は第１の変形例における上棟時の屋根下地の側面図、（ｂ）は第２の変形例における上棟時の屋根下地の側面図である。
【発明を実施するための形態】
【００２３】
図１ないし図５に本発明の実施の形態を示す。この実施の形態において、在来工法からなる家屋の屋根には、図２に示すように片流れ屋根が採用され、また、小屋裏が現しにされる。
【００２４】
図１に示すように、屋根下地の製作は、現場施工前に製材所等において下地板ユニット３を製作することから始められる（ステップＳ-１）。家屋の構造上、屋根下地の施工は、基礎や土台、さらには柱や梁などによる主要部分の完成を待ってなされるために、下地板ユニット３の製作は、このような前段階の施工期間を利用して進められる。
【００２５】
上記下地板ユニット３は、図２（ａ）に示すように、野地板１の上面に断熱材（防水機能材料２）を接着剤により貼り付けて形成される。上記野地板１は、一般的なものが９ミリから１５ミリまでの厚さ程度に形成されるのに対し、これよりも格段厚い３０ミリ以上の板厚ｔに形成されて剛性が高められる。この野地板１には、この実施の形態においては集成材、より正確には構造用集成材および直交集成板が用いられ、幅はぎにより集成材および直交集成板の板材７同士が接合されて屋根全面を覆う広さの一枚板にされる。なお、図２（ａ）において２０が幅はぎ部分である。
【００２６】
また、上記断熱材２は、断熱機能に加えて適宜の防水機能をも備えたボード状の押出法ポリスチレンフォームからなる。この断熱材２は、上述した板材７の各々と同じ程度のサイズの複数枚からなり、野地板１の上面に敷き詰められる。なお、上述のように野地板１が厚く形成されてその熱抵抗が高くされることから、断熱性能を考慮した断熱材２の厚さは薄くされる。その目地には、防水性を備えたウレタン等からなるシーリング材が充填される。
【００２７】
屋根下地の施工は、上述のようにして製作した下地板ユニット３を屋根下地施工日の朝に現場搬入することで準備が整う（ステップＳ-２）。現場施工は、先ず最初に小屋組の施工をすることから始まる（ステップＳ-３）。小屋組は、この実施の形態においては和小屋であり、図２（ｂ）に示すように、梁２１（小屋梁）に小屋束２２を介して棟木４や母屋５を組み付けた後、これら棟木４や母屋５に垂木２３を組み付けて施工される。母屋５は軒棟方向に所定間隔で配置され、また、この小屋組の施工に際しては、棟木４や母屋５といった比較的重量のある木材を組み付け位置である小屋束２２の上面まで移動させるためにクレーン６が利用される。一方、垂木２３には比較的断面積の小さいものが使用される。また、以上の棟木４、母屋５、および垂木２３は、上述のように小屋裏現しにされるために、防腐、防カビ、防虫剤を含浸させたり、このような性能を備えた塗料を塗ることにより、化粧を施したものが使用される。
【００２８】
なお、この実施の形態において、上述の垂木２３の組み付けは、図２（ｂ）に示すように棟木４や母屋５の上面に載せるようにしてなされるが、棟木４や母屋５の間に収まるように、言い換えれば垂木２３と母屋５等のそれぞれの上面が同一面となるようになどしても足りる。また、小屋組には、小屋梁や筋交い、火打ち梁などを含めても足りる。図２（ｂ）において２４は桁（梁）、２５は柱、２６は間柱である。
【００２９】
小屋組の施工が完成したら、次に、小屋組の上に下地板ユニット３が設置される（ステップＳ-４）。下地板ユニット３を小屋組の上まで運ぶ際には、図２（ｂ）に示すように上述したクレーン６が再度利用される。下地板ユニット３の設置は、断熱材を上に向けた姿勢にして野地板１を垂木２３の上に載せた後、例えば屋根側から下地板ユニット３を貫通して垂木２３や母屋５にビス２７を打ち込むことによりなされる。なお、図２（ｂ）において２８はクレーンのワイヤロープであり、図示省略の吊り治具を介して下地板ユニット３に連結される。また、図２（ｂ）におけるビス２７は、下地板ユニット３の仮止めのためのものである。
【００３０】
以上のようにして下地板ユニット３の設置が完了したら、この実施の形態においては、ここで棟上げとなる（ステップＳ-５）。上述のようにクレーン６を多用し、また、下地板ユニット３が単一であるために、ここまでの屋根下地の施工は１日で難なく完了することができる。また、以上において述べた屋根下地施工日が作業に適した晴天であっても、その夜間や翌日が雨天になる可能性もあるところ、上述のように断熱材２は適宜の防水機能を備えており、これが最上部に位置することから、図３に示すように、棟木４や母屋５、野地板１が降雨によって濡れてしまうのが防がれる。
【００３１】
この後、上棟式を終えたら、屋根下地の施工が再開され、先ずはビス２７を追加して下地板ユニット３を垂木２３等に強固に固定した上で、続いて屋根通気層８が施工される（ステップＳ-６）。屋根通気層８は、図４に示すように、通気胴縁２９を介して断熱材２の上方に所定間隔を隔てて第２の野地板９の適数枚を張ることにより施工される。これにより、屋根通気層８は、上述の断熱材２が底面に露出することになり、雨水が浸入してしまったときにも、その遮水性によって野地板１等が濡れるのが防がれる。
【００３２】
以上のようにして屋根通気層８が完成したら、図４に示すように、最後にルーフィング材からなる防水シート１０を施工する（ステップＳ-７）ことにより、屋根下地が完成する。
【００３３】
また、屋根の施工は、以上のようにして屋根下地が完成すると、大工から屋根施工業者へと受け継がれ、屋根施工業者により例えば、図４に示すように、ガルバリウム鋼板等の屋根材３０を屋根下地の上面にビス留め等することで完了する（ステップＳ-８）。
【００３４】
図４は完成した屋根の構造を示すもので、屋根は、剛性の高い野地板１が構造耐力部材としても機能し、屋根の自重に加え、屋根面に作用する風圧力、積雪荷重、あるいは地震時の水平荷重などの外力をもしっかりと支えて柱２５（２６）や壁３１に伝えることができ、また、例えば太陽光パネルを取り付けたいようなときにも、比較的簡単にその取付強度を確保することができる。さらに、上述のように小屋裏現しにしたことより、野地板１を含めて屋根の構造耐力部材は呼吸が可能になるために、その強度を長期に渡って比較的良好に維持することができる。なお、図５において３２は鼻隠しであり、例えば第２の野地板９を張る際に取り付けられる。また、３３は面戸板、３５は内装壁材、３６は断熱材、３７は構造用合板、３８は透湿防水シート、３９は外壁材、４０は壁面通気層であり、この実施の形態において壁３１は真壁にされる。
【００３５】
図６（ａ）に本発明の第１の変形例を示す。なお、この変形例および後述する他の変形例において、上述した実施の形態と同一の要素は図中に同一の符号を付して説明を省略する。この第１の変形例は、上述した野地板１を構造耐力部材として利用することにより、和小屋における垂木２３を省略したものであり、棟木４や母屋５の上に下地板ユニット３が直接配置される。したがってこの第１の変形例においては、垂木２３の施工が不要となるために、工数をより削減することができる。
【００３６】
図６（ｂ）に本発明の第２の変形例を示す。この第２の変形例は小屋組に登り梁１１を使用したもので、登り梁１１が棟方向に所定間隔で配置される。これにより和小屋は垂木２３が省略されるとともに、母屋５の数量も少なくされる。なお、この変形例では登り梁１１の上面が棟木４や母屋５の上面と同一面になるようにされ、また、登り梁１１の下端が桁（梁）２４の上面に載せられるが、登り梁１１を棟木４や母屋５の上面に載せたり、その上面が桁（梁）２４の上面と同一面になるようにしても足りる。
【００３７】
なお、以上において述べた実施の形態や変形例においては、屋根に片流れ屋根や小屋裏現しを採用した場合を示したが、切妻屋根など他の種類のものを採用したり、天井材を張って小屋裏を隠しても足りる。
【符号の説明】
【００３８】
１  野地板
２  防水機能材料
３  下地板ユニット
４  棟木
５  母屋
６  クレーン
７  板材
８  屋根通気層
９  第２の野地板
１０  防水シート
１１  登り梁
ｔ  板厚
【図１】
0006782066.tif 000002
【図２】
0006782066.tif 000003
【図３】
0006782066.tif 000004
【図４】
0006782066.tif 000005
【図５】
0006782066.tif 000006
【図６】
0006782066.tif 000007